(57)【要約】【課題】ワイヤロープを使用して軽便に建設した吊橋や懸垂歩道橋では、揺れが大きくて歩行の安全に不安があり、さらに細い針金で構成されるワイヤロープは錆の発生による劣化が著しく、耐久性に不安があるので、このような問題点を改善した橋を安価に建設する技術が求められていた。【解決手段】ワイヤロープの代わりにリンクチェーンを使用することにした。そして、両岸に充分な強度を有して設置したアンカー金物にリンクチェーンを懸垂自在に水平なピンによって取付け、リンクチェーンの１対のリンクプレートの間隔を歩道の幅に適合したものとすると同時に、リンクプレートがその傾斜に応じて平板状または階段状の歩行床板を支持する梁として機能するものとした。加えて、高欄の柱の根元の円筒状の孔をピンと結合して横荷重によるモーメントに対抗できるようにした上で、高欄の柱と長手材を組立てするボルトの孔のピッチをリンクプレートのピン孔のピッチと同一とすることにより全体としての懸垂性を確保した。【選択図】          図１
2004150051.tif 000002
【特許請求の範囲】
【請求項１】
両岸において充分な強度を有し歩道の幅に適合した間隔で設置したアンカー金物に端末のリンクプレートを中心線が水平なピンによって取付して谷に懸垂自在に張り渡したリンクチェーンを歩道橋の自重と活荷重等に対して充分な強度を有するものとし、
このとき、リンクプレートはリンクチェーンのリンクプレートとして鉛直方向の荷重によって生ずる軸方向応力に耐え、かつ伝達する機能とリンクチェーンの１ピッチを構成する１対のリンクプレートの間隔が歩道橋の幅を確定する機能と風荷重等横方向の荷重によって生ずる軸方向応力に耐えかつ伝達する機能、さらにリンクプレートの橋軸方向の傾斜に応じて平板状または階段状となる歩行床板を支持する梁としての機能も有するものとし、
一方ピンは１本のピンが隣接する２対のリンクプレートのピン孔を貫通して各対のリンクプレートの間隔を確定しつつ剪断応力によってリンクプレートの軸方向応力を順次隣接するリンクプレートに伝達する機能と、リンクプレートの外側において高欄の柱の根元の円筒状のピン孔と結合することにより、高欄に作用する横方向荷重によって高欄の柱に生ずるモーメントを支持する機能を有するようになり、
加えて、リンクプレートのピン孔のピッチを高欄の柱のピッチとして適当な長さ（２ｍ程度）とすると同時に高欄の柱を連結して歩行者を安全に導く長手材と柱を組立するボルトの長手材の孔のピッチもリンクプレートのピン孔のピッチと同一長とすることによって、リンクチェーンの懸垂曲線に順応した高欄を構成したことを特徴とする歩道橋。
【発明の詳細な説明】
【０００１】
【発明の属する技術分野】この発明は、観光地や公園の遊歩道等に設置する歩道橋に関するものである。
【０００２】
【従来の技術】橋は人や車が谷や河川等を横断するために設けられるものであるから、その路面は通行が容易であるように平坦なものとするのが一般的であり、桁橋、床版橋、トラス橋、アーチ橋、吊橋など、多種多様なものが考案され、実用化されてきている。
【０００３】しかし歩道橋では、人の歩行が可能であればよいとの判断から太鼓橋や坂道状、階段状等平坦でない橋も多数存在する。
また歩道橋は人があまり重くないこと、少しは揺れても通行可能なこと、長い橋を比較的安価に建設できること等の理由からワイヤロープを使用した吊橋の使用例が多い。
【０００４】さらに最近では両岸に設けたアンカー金物に張り渡したワイヤロープに直接歩行床板を結び付けて、ワイヤロープの懸垂曲線そのままの路面形状を有するものも実用化されている。
【０００５】
【発明が解決しようとする課題】ところで、ワイヤロープを使用して軽便に建設した吊橋や懸垂歩道橋では、歩行による揺れが大きくて歩行の安全に不安があり、また強い横風が吹くと揺れが大きくて通行不可能となる等の問題があって、このような問題点を改善した橋を安価に建設する技術が求められていた。
【０００６】加えて谷を張り渡すワイヤロープは原則として継手のない長さの大きいものを工場から現場に搬入する必要があり、人力によって建設しなければならない山間地の橋にあっては、その長さと重さが原因で、運搬と取扱いに多額の費用が必要となり解決を求められていた。さらに細い針金で構成されるワイヤロープは錆の発生により劣化の影響を強く受けるので耐久性に不安がある。
【０００７】
【課題を解決するための手段】そこでこの発明の歩道橋では、ワイヤロープの代わりにリンクチェーンを使用することにした。
そして、両岸に充分な強度を有して設置したアンカー金物にリンクチェーンを懸垂自在にピンによって取付け、リンクチェーンの１対のリンクプレートの間隔を歩道の幅に適合したものとすると同時に、リンクプレートがその傾斜に応じて平板状または階段状の歩行床板を支持する梁として機能するものとした。
【０００８】一方、リンクチェーンのピンは１本のピンが左右１対のリンクプレートのピン孔を貫通してリンクプレートの間隔を確定しつつ隣接するリンクのリンクプレートのピン孔とも結合して、リンクプレートの軸方向力を隣接するリンクプレートに伝達する機能を有するのであるが、さらにリンクプレートの外側に突出した部分においてピンが高欄の柱の根元の円筒状のピン孔と結合することにより、高欄に作用する横方向荷重によって高欄の柱に生ずるモーメントを支持する機能も有するようにする。
【０００９】加えて、リンクプレートのピン孔のピッチを高欄の柱のピッチとして適当な長さ（一般に２ｍ程度）とした上で、高欄の長手材と柱を組立するボルトの長手材の孔のピッチをこのリンクプレートのピン孔のピッチと同一長とすることにより、リンクチェーンの懸垂曲線に順応した高欄を組立てることが可能であるようにした。
【００１０】このように構成したリンクチェーンによる歩道橋は、全体が下方に懸垂しており、外観はワイヤロープを使用した懸垂歩道橋に近いのであるが、全体として重量を大きく建設することになり、また折曲点がピンの位置に限定されかつ横方向の変形には抵抗力が大きくなるので、揺れの少ない歩道橋となる。
加えて、リンクチェーンの各リンクのリンクプレートは曲げ剛性の大きい棒状の部材であるため歩行床板はそのリンクプレートの傾斜に順応して平板状または階段状とすることができるから歩行が容易でかつ安全なものとなった。
【００１１】またこのリンクチェーンによる歩道橋では、同一規模の歩道橋としてワイヤロープを使用した吊橋と比較して必要な鋼材重量は大きくなるが、構成する部材の長さを２ｍ程度以下に押え、かつ部材の重量も最大２０ｋｇ程度以下に押えることが可能となるから、山間地などですべて人力により運搬し建設する場合においてはかえって安価に建設することが可能となるのである。
【００１２】さらに、各部材は充分な厚さを有する棒鋼材であり、塗装やメッキにより錆の発生を防止することが可能となり、耐久性を格段に向上させることができた。
【００１３】
【発明の実施の形態】以下、この発明の歩道橋の実施の形態を、図面に基き詳述する。
【００１４】図１、図２、図３、図４ならびに図５はこの発明の歩道橋の１実施例を示すものであり、図１は歩道橋の平面図、図２は歩道橋の歩行床板とリンクプレートとピンの関係を示す縦断面図、図３は高欄の構成を示す縦断説明図、図４はピンの位置での歩道橋の横断面図、図５は歩行床板の中間位置での歩道橋の横断面図である。
【００１５】図１ならびに図２において、谷の両岸の歩道に接して設置した充分な強度を有する基礎コンクリート１−１，１−２に据え付けたアンカー金物２−１，２−２に歩道橋の幅に適合した間隔の１対のリンクプレート３−１，３−４をピン４−１，４−５によって結合する。
このとき、アンカー金物２−１とアンカー金物２−２はたまたま高さが異なっているが、両者の間を４対のリンクプレート３−１，３−２，３−３，３−４と５本のピン４−１，４−２，４−３，４−４，４−５によってリンクチェーンを構成して適度な懸垂状態にて繋いでいる。
【００１６】このリンクチェーンは自重によって懸垂するのであり、図２に示すように各リンクプレート３−１，３−２，３−３，３−４は傾斜が異なっているから、各々に取付けられる歩行床板はその傾斜に適合したものとする。
【００１７】すなわち、リンクプレート３−１に対しては急な階段部の踏板５−１が４枚、リンクプレート３−１から突出した取付板６−１にボルト７−１で取付けられ、リンクプレート３−２に対しては緩やかな階段部の踏板５−２が２枚、リンクプレート３−２から突出した取付板６−２にボルト７−２で取付けられ、リンクプレート３−３に対しては平らな歩行床板５−３が１枚、リンクプレート３−３から突出した取付板６−３にボルト７−３で取付けられ、リンクプレート３−４に対しては緩やかな階段部の踏板５−４が２枚、リンクプレート３−４から突出した取付板６−４にボルト７−４で取付けられる。
【００１８】さらに、アンカー金物２−１の上部には平らな歩行床板５−０が取付板６−０にボルト７−０によって取付けられ、アンカー金物２−２の上部にも平らな歩行床板５−５が、取付板６−５にボルト７−５によって取付けられる。加えて、これら歩行床板または踏板の側端にはすべり止め板が取付けられている。すなわち、歩行床板５−０，５−３，５−５ならびに踏板５−１，５−２，５−４，には各々すべり止め板８−０，８−３，８−５ならびに８−１、８−２、８−４が取付けられて、歩行者が歩行床板や踏板を踏み外すことのないよう保護している。
【００１９】このようにして谷の両岸を適度な懸垂状態にして繋いだリンクチェーンの各リンクプレート３−１，３−２，３−３，３−４とアンカー金物２−１，２−２には安全な歩行を可能にする歩行床板とすべり止め板が設置されて歩道橋を構成する。
【００２０】図４はピン４−３の位置における歩道橋の横断面を示す。この図４において１対のリンクプレート３−２ならびにこれに隣接するリンクプレート３−３はピン孔に１本のピン４−３が貫通して結合される。
【００２１】このとき、ピン４−３のリンクプレート３−２の内側にはストッパ９が取付けられてリンクプレート３−２ならびに３−３が内側に移動しないよう制限している。
【００２２】同時にピン４−３のリンクプレート３−３の外側には高欄の柱１０−３の根元の円筒状のピン孔１１が結合され、さらにその外側ではリング１２を割ピン１３で固定してあるから、リンクプレート３−２ならびに３−３が外側方向に移動することもない。
このようにして、ピン４−３は１対のリンクプレート３−２ならびに１対のリンクプレート３−３の間隔を歩道橋の幅に適合したものに確定する。
【００２３】そして、リンクプレート３−３から突出した取付板６−３には平らな歩行床板５−３がボルト７−３によって取付けられる。
さらに根元の円筒状のピン孔１１をピン４−３と結合された高欄の柱１０−３には高欄の長手材１４−２と１４−３がボルト１５によって取付けられている。
このように構成すれば、高欄の柱１０−３は上方において歩行者から横方向の力を受けても、ピン４−３の曲げ剛性に支持されるから倒れることはなく安全である。すなわち歩行者は橋の外に落ちないよう高欄によって保護される。
【００２４】図３は高欄の構成を示す縦断説明図である。
図３において、ピン４−０，４−１，４−２，４−３，４−４，４−５，４−６と根元の円筒状のピン孔１１を結合された高欄の柱１０−０，１０−１，１０−２，１０−３，１０−４，１０−５，１０−６は各々鉛直に近い姿勢で立ち、上方において各柱のボルト孔においてボルト１５によって長手材１４−０，１４−１，１４−２，１４−３，１４−４，１４−５を取付けているから高欄として機能することができる。
【００２５】しかしこのままでは高欄は橋軸方向に不安定となるので、鋼材１６−０，１６−５を取付けて柱１０−０，１０−１，１０−２，１０−３，１０−４，１０−５，１０−６がピン４−０，４−１，４−２，４−３，４−４，４−５，４−６の周りに回転して倒伏することがないようにする。
【００２６】
【発明の効果】この発明の歩道橋によれば、構成する部材の長さが２ｍ程度以下で重量も１部材２０ｋｇ程度以下となるから山間地に建設する場合で、運搬用トラックやクレーンの使用が不可能な場合においても、人力による運搬と組立てが可能となるので、安全性の高い、経済性に優れた歩道橋を提供することができる。
【００２７】さらに組立作業においては、片側の岸に設けたアンカー金物に吊り下げながらリンクプレートとピンを順序良く組み付けてリンクチェーンを１ピッチずつ組み上げて必要長さとし、最後にリンクチェーンの端部を対岸のアンカー金物からワイヤロープウインチで引き上げてピンを接合する工法を採用することにより、作業足場を大幅に省略することが可能となり、非常に経済性に優れ、建設に必要な日数も短縮が可能となる。
【００２８】またこの発明の歩道橋は、ワイヤロープを主構造としたものと比較して自重が若干重くなることに加えて、リンクプレートと歩行床板が強固にボルト接合されるため揺れの少ない特性があり、歩行が容易である。
加えて渓谷などに建設される歩道橋として種々の形式のものを採用することも、山歩きの行程内容に変化を与える意味があり、そのため懸垂形歩道橋も重要視されるのである。
【００２９】さらに、この発明の歩道橋によれば、各部材は充分な厚さを有する棒鋼材であり、塗装やメッキにより錆の発生を防止することが容易であるから、ワイヤロープを主要部材とする吊橋と比較して耐久性が格段に向上する。
【図面の簡単な説明】
【図１】この発明の歩道橋の１実施例を示す平面図である。
【図２】歩道橋の歩行床板とリンクプレートとピンの関係を示す縦断面図である。
【図３】高欄の構成を示す縦断説明図である。
【図４】ピンの位置での歩道橋の横断面図である。
【図５】歩行床板の中間位置での歩道橋の横断説明図である。
【符号の説明】
１−１，１−２  基礎コンクリート
２−１，２−２  アンカー金物
３−１，３−２，３−３，３−４  リンクプレート
４−０，４−１，４−２，４−３，４−４，４−５，４−６  ピン
５−１，５−２，５−４  踏板
５−０，５−３，５−５  歩行床板
６−０，６−１，６−２，６−３，６−４  取付板
７−０，７−１，７−２，７−３，７−４  ボルト
８−０，８−１，８−２，８−３、８−４、８−５すべり止め板
９  ストッパ
１０−０，１０−１，１０−２，１０−３，１０−４，１０−５，１０−６  高欄の柱
１１  円筒状のピン孔
１２  リング
１３  割ピン
１４−０，１４−１，１４−２，１４−３，１４−４，１４−５  高欄の長手材１５  ボルト
１６−０，１６−５  鋼材
【図１】
2004150051.tif 000003
【図２】
2004150051.tif 000004
【図３】
2004150051.tif 000005
【図４】
2004150051.tif 000006
【図５】
2004150051.tif 000007